(57)【要約】【課題】正確な時刻情報を容易な構成で取得する受信装置を提供する。【解決手段】電波時計１は、時刻情報が変調され、少なくとも２つの周波数で送信された時刻信号を含む受信信号が入力される入力手段１０と、前記２つの周波数の中間値を示す周波数を有する局部発振信号を生成する局部発振信号生成手段２２と、前記局部発振信号および前記受信信号を移相させる位相回転量を決定する位相回転量決定手段２４と、前記決定された位相回転量で前記２つの信号をそれぞれ移相して混合することにより、前記２つの周波数で送信された時刻信号の中で、前記位相回転量に対応した一方の周波数の時刻信号を除去すると共に、他方の周波数の時刻信号を、一定値である中間周波数の信号に変換する周波数変換手段１６と、前記変換された中間周波数の信号を復調して、前記他方の周波数で送信された時刻情報を取り出すＣＤＭＡ信号復調手段５０とを備える。【選択図】図１
2008102013.tif 000002
【特許請求の範囲】
【請求項１】
時刻情報が変調され、少なくとも２つの周波数で送信された時刻信号であって、前記時
刻信号を含む受信信号が入力される入力手段と、
前記２つの周波数の中間値を示す周波数を有する局部発振信号を生成する生成手段と、
前記局部発振信号および前記受信信号を移相させる位相回転量を決定する決定手段と、
前記決定された位相回転量で、前記局部発振信号および前記受信信号をそれぞれ移相して
混合することにより、前記２つの周波数で送信された時刻信号の中で、前記位相回転量に
対応した一方の周波数の時刻信号を除去すると共に、他方の周波数の時刻信号を一定値で
ある中間周波数の信号に変換する変換手段と、
前記中間周波数の信号を復調することにより、前記他方の周波数で送信された前記時刻情
報を取り出す復調手段と、
前記取り出された時刻情報を出力する出力手段とを備えることを特徴とする受信装置。
【請求項２】
請求項１に記載の受信装置において、
前記位相回転量は、９０度および−９０度の何れかであることを特徴とする受信装置。
【請求項３】
請求項１乃至２のいずれかに記載の受信装置において、
前記２つの周波数の何れかを含む周波数帯域を指示する帯域指示手段と、
前記指示された周波数帯域のフィルタリングを行うバンドパスフィルタとを更に備えるこ
とを特徴とする受信装置。
【請求項４】
請求項３に記載された受信装置において、
前記２つの周波数は、それぞれ所定の帯域幅を有する周波数帯域の中心周波数であり、
前記バンドパスフィルタは、前記周波数帯域を含む帯域をフィルタリングすることを特徴
とする受信装置。
【請求項５】
請求項１乃至４のいずれか１項に記載の受信装置において、
前記変換手段は、
前記入力された受信信号および前記局部発振信号を、前記位相回転量に応じてそれぞれ同
期して移相する少なくとも一対の移相手段と、
前記受信信号、前記局部発信信号、前記移相された受信信号および前記移相された局部発
信信号をそれぞれ混合する混合手段とを備えることを特徴とする受信装置。
【請求項６】
請求項１乃至５のいずれか１項に記載の受信装置において、
前記２つの周波数の何れかを選択するための選択手段を更に備え、
前記決定手段は、前記選択された周波数に応じて前記位相回転量を決定することを特徴と
する受信装置。
【請求項７】
請求項１乃至６のいずれか１項に記載の受信装置において、
前記選択手段は、前記２つの周波数のうち、一方を主たる周波数として選択し、他方を副
たる周波数として選択することを特徴とする受信装置。
【請求項８】
請求項１乃至７のいずれか１項に記載の受信装置において、
前記時刻信号が送信された周波数の中から、それぞれ２つの周波数を一対として選択する
選局指示手段を更に備えることを特徴とする受信装置。
【請求項９】
時刻情報が変調され、少なくとも２つの周波数で送信された時刻信号であって、前記時
刻信号を含む受信信号が入力される入力工程と、
前記２つの周波数の中間値を示す周波数を有する局部発振信号を生成する生成工程と、
前記局部発振信号および前記受信信号を移相させる位相回転量を決定する決定工程と、
前記決定された位相回転量で、前記局部発振信号および前記受信信号をそれぞれ移相して
混合することにより、前記２つの周波数で送信された時刻信号の中で、前記位相回転量に
対応した一方の周波数の時刻信号を除去すると共に、他方の周波数の時刻信号を一定値で
ある中間周波数の信号に変換する変換工程と、
前記変換された中間周波数の信号を復調することにより、前記他方の周波数で送信された
前記時刻情報を取り出す復調工程と、
前記取り出された時刻情報を出力する出力工程とを備えることを特徴とする受信方法。
【発明の詳細な説明】
【技術分野】
【０００１】
本発明は、時刻情報を受信する受信装置および受信方法に関する。
【背景技術】
【０００２】
電子時計や携帯情報端末のように、正確な時刻を必要とする受信装置が、時刻情報を取
得する方法として、地上基地局から送信される長波帯域の標準電波や、ＧＰＳ（Ｇｌｏｂ
ａｌ  Ｐｏｓｉｔｉｏｎｉｎｇ  Ｓｙｓｔｅｍ）衛星から送信される極超短波帯域の時刻
データを受信する方法が知られている。更に、近年では、下記特許文献１に記載されてい
るように、移動通信を目的として、ＣＤＭＡ（Ｃｏｄｅ  Ｄｉｖｉｓｉｏｎ  Ｍｕｌｔｉ
ｐｌｅ  Ａｃｃｅｓｓ）変調されて送信される極超短波帯域の電波に含まれる時刻情報を
受信して、正確な時刻を取得する装置が提案されている。このような極超短波帯域の電波
は、種々の中継局から遍く中継されるため、長波帯域の標準電波やＧＰＳ衛星からの電波
と比較して、建物の中や地下のような様々な移動先においても、良好に受信できることが
知られている。
【０００３】
【特許文献１】特開２００３−１６９３７６号公報
【発明の開示】
【発明が解決しようとする課題】
【０００４】
上記した極超短波帯域の電波に含まれる時刻情報は、異なる２つの周波数で送信されて
おり、受信状況等に応じて受信する周波数を受信側で切替えるべく、それぞれの送信周波
数に対応する２つの局部発振信号を生成し、受信する周波数に応じて何れか１つを選択す
る必要があった。しかしながら、局部発振信号は、極超短波帯域の電波に対応することか
ら、周波数が高くなることに加え、それぞれの周波数を所定の周波数に精度良く同調させ
る必要があった。従って、受信機は、２つの局部発振信号を精度良く生成すると共に、こ
れらを切替えて使用するため、受信機の構成が複雑になると共に、受信時における消費電
力が増大した。
【課題を解決するための手段】
【０００５】
上記した課題を解決するために、本発明の受信装置は、時刻情報が変調され、少なくと
も２つの周波数で送信された時刻信号であって、前記時刻信号を含む受信信号が入力され
る入力手段と、前記２つの周波数の中間値を示す周波数を有する局部発振信号を生成する
生成手段と、前記局部発振信号および前記受信信号を移相させる位相回転量を決定する決
定手段と、前記決定された位相回転量で、前記局部発振信号および前記受信信号をそれぞ
れ移相して混合することにより、前記２つの周波数で送信された時刻信号の中で、前記位
相回転量に対応した一方の周波数の時刻信号を除去すると共に、他方の周波数の時刻信号
を一定値である中間周波数の信号に変換する変換手段と、前記中間周波数の信号を復調す
ることにより、前記他方の周波数で送信された前記時刻情報を取り出す復調手段と、前記
取り出された時刻情報を出力する出力手段とを備えることを特徴とする。
【０００６】
この発明によれば、時刻情報が変調され、２つの周波数で送信された時刻信号を含む受
信信号に対して、２つの周波数の中間値を示す周波数を有する局部発振信号が生成され、
受信信号と局部発振信号とが位相回転量で移相されて混合されることにより、位相回転量
に応じた一方の時刻信号は中間周波数に変換され、変換された信号が復調されて時刻情報
が取り出されて出力される。従って、生成すべき局部発振信号は、２つの周波数の中間値
を示す周波数を有する１つの信号であれば良く、２つの周波数がそれぞれ対応する位相回
転量に応じて、何れかの周波数の時刻情報が取得できるため、消費電力が低減できると共
に、受信装置の構成が容易になる。
【０００７】
本発明の受信装置では、前記位相回転量は、９０度および−９０度の何れかであっても
良い。
【０００８】
本発明の受信装置は、前記２つの周波数の何れかを含む周波数帯域を指示する帯域指示
手段と、前記指示された周波数帯域のフィルタリングを行うバンドパスフィルタとを更に
備えることが好ましい。
この発明によれば、バンドパスフィルタにより受信すべき周波数の周波数帯域の信号を
通過させ、前記周波数帯域以外の信号の通過を制限できるため、イメージ周波数妨害をよ
り確実に抑制できる。
【０００９】
本発明の受信装置では、前記２つの周波数は、それぞれ所定の帯域幅を有する周波数帯
域の中心周波数であり、前記バンドパスフィルタは、前記周波数帯域を含む帯域をフィル
タリングしても良い。
【００１０】
本発明の受信装置では、前記変換手段は、前記入力された受信信号および前記局部発振
信号を、前記位相回転量に応じてそれぞれ同期して移相する少なくとも一対の移相手段と
、前記受信信号、前記局部発信信号、前記移相された受信信号および前記移相された局部
発信信号をそれぞれ混合する混合手段とを備えても良い。
また、本発明の受信装置は、前記２つの周波数の何れかを選択するための選択手段を更
に備え、前記決定手段は、前記選択された周波数に応じて前記位相回転量を決定しても良
い。更に、本発明の受信装置では、前記選択手段は、前記２つの周波数のうち、一方を主
たる周波数として選択し、他方を副たる周波数として選択しても良い。
【００１１】
本発明の受信装置は、前記時刻信号が送信された周波数の中から、それぞれ２つの周波
数を一対として選択する選局指示手段を更に備えることが好ましい。
この発明によれば、２つの周波数を一対として選択し、選択された２つの周波数は、１
つの局部発振信号で受信できるため、時刻信号が送信される周波数の波数に対して、受信
のために生成すべき局部発振信号の信号数は、前記波数の半分で良い。
【００１２】
上記した課題を解決するために、本発明の受信方法は、時刻情報が変調され、少なくと
も２つの周波数で送信された時刻信号であって、前記時刻信号を含む受信信号が入力され
る入力工程と、前記２つの周波数の中間値を示す周波数を有する局部発振信号を生成する
生成工程と、前記局部発振信号および前記受信信号を移相させる位相回転量を決定する決
定工程と、前記決定された位相回転量で、前記局部発振信号および前記受信信号をそれぞ
れ移相して混合することにより、前記２つの周波数で送信された時刻信号の中で、前記位
相回転量に対応した一方の周波数の時刻信号を除去すると共に、他方の周波数の時刻信号
を一定値である中間周波数の信号に変換する変換工程と、前記変換された中間周波数の信
号を復調することにより、前記他方の周波数で送信された前記時刻情報を取り出す復調工
程と、前記取り出された時刻情報を出力する出力工程とを備えることを特徴とする。
【００１３】
この発明によれば、時刻情報が変調され、２つの周波数で送信された時刻信号を含む受
信信号に対して、２つの周波数の中間値を示す周波数を有する局部発振信号が生成され、
受信信号と局部発振信号とが位相回転量で移相されて混合されることにより、位相回転量
に応じた一方の時刻信号は中間周波数に変換され、変換された信号が復調されて時刻情報
が取り出されて出力される。従って、生成すべき局部発振信号は、２つの周波数の中間値
を示す周波数を有する１つの信号であれば良く、２つの周波数がそれぞれ対応する位相回
転量に応じて、何れかの周波数の時刻情報が取得できるため、消費電力が低減できると共
に、受信装置の構成が容易になる。
【発明を実施するための最良の形態】
【００１４】
以下、本発明の実施の形態について、時刻情報を含む電波を受信して時刻を表示する電
波時計を用いて説明する。
（実施形態１）
【００１５】
図１は、本発明の実施形態１に係る受信装置の一実施例である電波時計１の機能構成を
示すブロック図である。この電波時計１は、ＣＤＭＡ変調されて送信される極超短波帯域
の電波に含まれる時刻情報を受信して、時刻情報が有する正確な時刻を表示する。この電
波時計１は、入力手段１０と、高周波増幅手段１４と、周波数変換手段１６と、選局指示
手段２０と、局部発振信号生成手段２２と、位相回転量決定手段２４と、ＣＤＭＡ信号復
調手段５０と、時刻情報出力手段５２と、ディスプレイ５４とを備える。また、周波数変
換手段１６は、第１移相手段３０と、混合手段３２と、第２移相手段３４と、第１中間周
波フィルタ３６と、第２中間周波フィルタ３８と、加算手段４０とを有する。尚、これら
の各機能部は、図示は略すが、電気回路で実現させても良く、また、ＣＰＵ（Ｃｅｎｔｒ
ａｌ  Ｐｒｏｃｅｓｓｉｎｇ  Ｕｎｉｔ）、ＲＡＭ（Ｒａｎｄｏｍ  Ａｃｃｅｓｓ  Ｍｅ
ｍｏｒｙ）およびＲＯＭ（Ｒｅａｄ  Ｏｎｌｙ  Ｍｅｍｏｒｙ）等で構成され、これらの
ハードウェアとソフトウェアとを協働させて実現しても良い。
【００１６】
入力手段１０は、時刻情報が所定の変調方法で変調され、異なる２つの周波数で送信さ
れた時刻信号を含む受信信号が入力される。本実施形態１では、空中に放射された電波を
受信するアンテナ１１を介して入力される。この電波は、携帯電話のような移動通信を目
的として、ＣＤＭＡ変調されて送信される極超短波帯域の電波であり、例えば８４４ＭＨ
ｚと８６１ＭＨｚの２つの周波数では、時刻を示す時刻情報の信号が、帯域幅１．２３Ｍ
Ｈｚで送信される。ここで、ＣＤＭＡ変調とは、狭帯域の変調波を拡散符号によって再度
変調し、受信側で通信チャネルごとに異なる拡散符号を割り当てることで多チャネルでの
通信を可能にする変調方式であるが、本発明は、ＣＤＭＡ変調に限定されるものでは無く
、他の変調方式であっても良い。また、高周波増幅手段１４は、入力手段１０に入力され
た受信信号を増幅する。
【００１７】
選局指示手段２０は、時刻信号が送信される８４４ＭＨｚと８６１ＭＨｚの２つの周波
数のうち、受信する何れかの周波数（希望周波数）が指示され、希望周波数に関する情報
が位相回転量決定手段２４に送られる。
【００１８】
局部発振信号生成手段２２は、前記した２つの周波数（８４４ＭＨｚ，８６１ＭＨｚ）
の中間値を示す周波数（８５２．５ＭＨｚ）を有する局部発振信号を生成する。この局部
発振信号生成手段２２は、図示は略すが、ＰＬＬ方式の発振回路を有し、生成される局部
発振信号の周波数（局発周波数）が、８５２．５ＭＨｚになるように制御される。ここで
生成された局部発振信号は、周波数変換手段１６の混合手段３２と第２移相手段３４に送
られる。
【００１９】
位相回転量決定手段２４は、局部発振信号および受信信号の２つの信号をそれぞれ移相
させる位相回転量を決定する。本実施形態１では、位相回転量は９０度および−９０度の
何れかであり、位相回転量決定手段２４は、希望周波数に応じて、９０度および−９０度
の何れか１つを決定する。具体的には、希望周波数が８４４ＭＨｚの場合は、−９０度が
位相回転量として決定され、希望周波数が８６１ＭＨｚの場合は、９０度が位相回転量と
して決定される。ここで決定された位相回転量の情報は、周波数変換手段１６の第１移相
手段３０と第２移相手段３４に送られる。
【００２０】
周波数変換手段１６は、位相回転量決定手段２４で決定された位相回転量で局部発振信
号および受信信号の２つの信号をそれぞれ移相して混合することにより、２つの周波数（
８４４ＭＨｚ，８６１ＭＨｚ）の時刻信号の中で、位相回転量に対応した一方の周波数の
時刻信号を除去すると共に、他方の周波数の時刻信号を、一定値である中間周波数（ＩＦ
）の信号に変換する。本実施形態１では、ＩＦは、８．５ＭＨｚであり、周波数変換手段
１６は、外部からの指示に従い位相回転量を設定可能なイメージキャンセルミキサを採用
する。この中で、第１移相手段３０と第２移相手段３４は、入力された受信信号および局
部発振信号を、位相回転量に応じてそれぞれ同期して移相する。また、混合手段３２は、
受信信号、局部発信信号、移相された受信信号および移相された局部発信信号を、それぞ
れ混合し、第１中間周波フィルタ３６または第２中間周波フィルタ３８でフィルタリング
された後、加算手段４０で加算される。その結果、位相回転量に対応した２つの周波数（
８４４ＭＨｚ，８６１ＭＨｚ）の一方は、イメージ周波数として信号は削除され、他方は
、希望周波数としてＩＦに変換される。尚、イメージキャンセルミキサによりイメージ周
波数の信号をキャンセルする具体的な方法は、本発明の要旨ではないため省略する（かか
る方式については、例えば、特開２００１−１７７４２５号公報を参照）。この周波数変
換手段１６により、ＩＦに変換された信号は、ＣＤＭＡ信号復調手段５０に送られる。
【００２１】
ＣＤＭＡ信号復調手段５０は、ＣＤＭＡ変調されたＩＦの信号を復調して、時刻情報を
取り出し、時刻情報出力手段５２に送る。時刻情報出力手段５２は、時刻情報を表示信号
に変換して、ディスプレイ５４に表示する。尚、時刻情報は、表示に限定されるものでは
無く、音声出力されても良い。また、時刻情報出力手段５２は、時刻情報を所定の信号に
変換して、通信可能に接続された他の情報機器装置等に送信しても良い。
【００２２】
図２は、電波時計１が時刻情報を含む電波を受信して、時刻を表示する処理を説明する
フローチャートであり、受信する電波の帯域構成を説明する図３も参照して、フローチャ
ートに従い、電波時計１の受信処理を説明する。
処理が開始されると、ステップ１００において、時刻情報が変調され、２つの周波数で
送信された信号を含む受信信号が入力される入力工程が実行され、ＣＤＭＡ変調されて２
つの周波数（８４４ＭＨｚ，８６１ＭＨｚ）で送信された時刻情報を含む受信信号が電波
時計１に入力される。
次に、ステップＳ１０２において、２つの周波数の中間値を示す周波数を有する局部発
振信号を生成する生成工程が実行され、電波時計１は、２つの周波数（８４４ＭＨｚ，８
６１ＭＨｚ）の中間値（８５２．５ＭＨｚ）を局発周波数とする局部発振信号を生成する
。
【００２３】
次に、ステップＳ１０４において、電波時計１は、受信すべき周波数を判定する。判定
された周波数に応じて、ステップＳ１０６またはステップＳ１１０において、局部発振信
号および前記受信信号の２つの信号を移相させる位相回転量を決定する決定工程が実行さ
れる。続いて、ステップＳ１０８またはステップＳ１１２において、前記決定された位相
回転量で前記２つの信号をそれぞれ移相して混合することにより、前記２つの周波数で送
信された信号の中で、前記位相回転量に対応した一方の周波数の信号を除去すると共に、
他方の周波数の信号を、一定値である中間周波数の信号に変換する変換工程が実行される
。
【００２４】
即ち、受信する周波数が８６１ＭＨｚの場合（ステップＳ１０４で８６１ＭＨｚ）、ス
テップＳ１０６に進み、電波時計１は位相回転角を９０度に決定する。続いて、ステップ
Ｓ１０８において、電波時計１は、８６１ＭＨｚの信号を８．５ＭＨｚのＩＦの信号に変
換して、ステップＳ１１４に進む。より具体的には、位相回転角を９０度に決定すること
で、図３に示すように、主たる周波数を示すＰｒｉｍａｒｙ  ＣＨである８６１ＭＨｚが
希望周波数となると共に、副たる周波数を示すＳｅｃｏｎｄａｒｙ  ＣＨである８４４Ｍ
Ｈｚがイメージ周波数となることで、イメージキャンセルミキサにより、８６１ＭＨｚの
信号は、ＩＦの信号に変換され、８４４ＭＨｚの信号は除去される。
他方で、受信する周波数が８４４ＭＨｚの場合（ステップＳ１０４で８４４ＭＨｚ）、
ステップＳ１１０に進み、電波時計１は位相回転角を−９０度に決定する。続いて、ステ
ップＳ１１２において、電波時計１は、８４４ＭＨｚの信号をＩＦの信号に変換して、ス
テップＳ１１４に進む。この時、８６１ＭＨｚの信号は、イメージキャンセルミキサによ
り除去される。
【００２５】
次に、ステップＳ１１４において、前記変換された中間周波数の信号を復調することに
より、電波時計１は、時刻情報を取り出す。
続いて、ステップＳ１１６において、前記取り出された時刻情報を出力する出力工程が
実行され、電波時計１は、時刻情報を表示することにより、ユーザは、現在の正確な時刻
を知ることができる。
【００２６】
以上述べた実施形態１によれば、以下のような効果を奏する。
（１）時刻情報が送信される２つの周波数（８４４ＭＨｚ，８６１ＭＨｚ）の中から、
受信する周波数を選択できるため、電波状況に応じて周波数を切替えることにより、時刻
情報を安定して取得できる。
【００２７】
（実施形態２）
次に、本発明の実施形態２について、図４を参照して説明する。尚、以下の説明では、
既に説明した部分と同じ部分については、同一符号を付してその説明を省略する。
【００２８】
図４は、本発明の実施形態２に係る受信装置の一実施例である電波時計１の機能構成を
示すブロック図であり、前記の実施形態１における電波時計１に対して、帯域指示手段１
８とバンドパスフィルタ１２が付加されている。帯域指示手段１８は、選局指示手段２０
で指示された希望周波数を中心とした帯域を指示する。本実施形態２では、２つの周波数
（８４４ＭＨｚ，８６１ＭＨｚ）で送信される時刻情報の信号は、帯域幅１．２３ＭＨｚ
を有する。従って、例えば、希望周波数が８４４ＭＨｚの場合、帯域指示手段１８は、８
４３ＭＨｚから８４５ＭＨｚの帯域を指示し、希望周波数が８６１ＭＨｚの場合、帯域指
示手段１８は、８６０ＭＨｚから８６２ＭＨｚの帯域を指示する。また、バンドパスフィ
ルタ１２は、入力手段１０に入力された受信信号を、帯域指示手段１８で指示された周波
数帯域でフィルタリングを行い、フィルタリングした受信信号を高周波増幅手段１４に送
る。尚、バンドパスフィルタ１２に替えて、イメージトラップを使用しても良い。
【００２９】
このような実施形態２によれば、実施形態１の（１）の効果に加えて、以下のような効
果を奏することができる。
（２）バンドパスフィルタにより受信すべき周波数の周波数帯域の信号を通過させ、前
記周波数帯域以外の信号の通過を制限できるため、イメージ周波数妨害をより確実に抑制
することができる
【００３０】
（実施形態３）
図５は、本発明の実施形態３に係る受信装置の一実施例である電波時計１の機能構成を
示すブロック図であり、前記の実施形態１における電波時計１に対して、選局指示手段２
０で指示された情報が、局部発振信号生成手段２２と、高周波増幅手段１４に伝達される
と共に、選局指示手段２０は、時刻情報が送信される周波数の中から、それぞれ２つの周
波数を一対として選択する機能を更に備える。本実施形態３では、時刻信号が送信される
周波数の波数は、４波（ｆ１，ｆ２，ｆ３，ｆ４）であり、選局指示手段２０は、ｆ１と
ｆ２とを一方の対とし、ｆ３とｆ４とを他方の対とする。ここで、選局指示手段２０にお
いて、希望周波数としてｆ１が指示された場合、ｆ１を含む一方の対が選択され、局部発
振信号生成手段２２に対して、一方の対を構成する２つの周波数（ｆ１，ｆ２）の中間値
を示す周波数を有する局部発振信号を生成すべく指示すると共に、希望周波数に関する情
報を、位相回転量決定手段２４に送る。また、選局指示手段２０は、高周波増幅手段１４
に対して、増幅すべき周波数帯域として一方の対を構成する２つの周波数（ｆ１，ｆ２）
の帯域を指示しても良い。尚、時刻信号が送信される周波数の波数は、４波に限定される
ものでは無く、２つの周波数からなる対を２つ以上構成できるような波数であれば良い。
【００３１】
このような実施形態２によれば、実施形態１の（１）の効果に加えて、以下のような効
果を奏することができる。
（３）受信のために生成すべき局部発振信号の信号数は、受信する周波数の波数の半分
で良いため、局部発振信号生成手段２２の構成を簡略化できる。
【００３２】
以上、本発明を図示した実施形態に基づいて説明したが、本発明は、本実施形態に限定
されるものではなく、以下に述べるような変形例も想定できる。
（１）上記した各実施形態は、電波時計１への適用を想定したが、本発明の受信装置は
、これに限るものではなく、情報を処理するために正確な時刻情報が必要な情報処理装置
等に適用できる。
（２）一般に、イメージキャンセルミキサは、構成する部品のバラツキに対する安定性
が弱いことから、位相回転角の組合せによって受信特性に差が生じるため、２つの周波数
（８４４ＭＨｚ，８６１ＭＨｚ）のうち、主たる周波数である８６１ＭＨｚが常用され、
副たる周波数である８４４ＭＨｚはほとんど使用されないという前提で、受信特性の良い
方の組み合わせを、８６１ＭＨｚに適用するように、電波時計１の各回路を構成しても良
い。
【図面の簡単な説明】
【００３３】
【図１】実施形態１に係る電波時計の機能構成を示すブロック図。
【図２】電波時計が時刻情報を含む電波を受信して、時刻を表示する処理を説明するフローチャート。
【図３】受信する電波の帯域構成を説明する図。
【図４】実施形態２に係る電波時計の機能構成を示すブロック図。
【図５】実施形態３に係る電波時計の機能構成を示すブロック図。
【符号の説明】
【００３４】
１…電波時計、１０…入力手段、１１…アンテナ、１２…バンドパスフィルタ、１４…
高周波増幅手段、１６…周波数変換手段、１８…帯域指示手段、２０…選局指示手段、２
２…局部発振信号生成手段、２４…位相回転量決定手段、３０…第１移相手段、３２…混
合手段、３４…第２移相手段、３６…第１中間周波フィルタ、３８…第２中間周波フィル
タ、４０…加算手段、５０…ＣＤＭＡ信号復調手段、５２…時刻情報出力手段、５４…デ
ィスプレイ。
【図１】
2008102013.tif 000003
【図２】
2008102013.tif 000004
【図３】
2008102013.tif 000005
【図４】
2008102013.tif 000006
【図５】
2008102013.tif 000007